(57)【要約】【課題】水栓本体の給水栓、給湯栓、及びそれらの間を隙間なく、カウンターまたはカバーで一体的に覆い隠しつつ、多様な水栓に適用可能な水栓取付構造を提供する。【解決手段】カウンター７０内に位置する壁面８０に固定される固定部１３と、一対の開口１１ａを有し少なくとも一部が平面状の立面部１１と、立面部の上端から前方側に突出形成され少なくとも一部が平面状の突出部１２と、を有する支持材１０と、入水部２１及び出水部２２を有し、入水部の側の端部は立面部の前記開口を介して後方側に突出するように配置され、前記立面部の平面状の部分の前面及び前記突出部の平面状の部分の下面に当接して位置決めされた状態で、吊着固定治具５０によって前記突出部に吊り上げ固定された一対の接続管２０と、前記出水部にそれぞれ接続された栓部３０と、を有する水栓本体４０と、を備えたことを特徴とする水栓取付構造が提供される。【選択図】図１
2010189887.tif 000002
【特許請求の範囲】
【請求項１】
浴室に設けられたカウンターの前面から突出して配置される水栓の取付構造であって、
前記カウンター内に位置する浴室壁面に固定される固定部と、前記固定部から延在し一対の開口を有し少なくとも一部が平面状の立面部と、前記立面部の上端から前方側に突出形成され少なくとも一部が平面状の突出部と、を有する支持材と、
入水部と出水部とを有し、前記入水部の側の端部は前記立面部の前記一対の開口を介して前記壁面の側に突出するように配置され、前記支持材の前記立面部の前記平面状の部分の前面及び前記突出部の前記平面状の部分の下面にそれぞれ当接して位置決めされた状態で、吊着固定治具によって前記支持材の前記突出部にそれぞれ吊り上げ固定された一対の接続管と、
前記一対の接続管の前記出水部にそれぞれ接続された栓部を有する水栓本体と、
を備えたことを特徴とする水栓取付構造。
【請求項２】
前記吊着固定治具は、前記一対の接続管のそれぞれを前記突出部の側に吊り上げる力によって、前記一対の接続管のそれぞれを前記立面部の側に押しつける力を前記一対の接続管に作用させることを特徴とする請求項１記載の水栓取付構造。
【請求項３】
前記一対の接続管は、操作部を有する止水栓であり、
前記止水栓は、前記突出部の下面と当接する部分に平面部を有しており、
前記止水栓の前記平面部が前記突出部の前記下面に当接した状態において、前記止水栓が格納されるカバーに形成された貫通孔から前記操作部が露出するように、前記止水栓は前記支持材に対して位置決めされることを特徴とする請求項１または２に記載の水栓取付構造。
【請求項４】
前記支持材は、前記カウンターをさらに支持することを特徴とする請求項１〜３のいずれか１つに記載の水栓取付構造。
【発明の詳細な説明】
【技術分野】
【０００１】
本発明の態様は、一般的に、水栓取付構造に関する。
【背景技術】
【０００２】
浴室ユニットにおいて、例えば、浴室の壁面に取り付けられるカウンターの前面に、給水栓と給湯栓とを有する水栓が取り付けられるものがある。この時、給水栓、給湯栓、及びそれらの間を一体的なカバーで覆い、さらに、それらとカウンターとの間をそのカバーで隙間なく覆うことで、清掃性を向上させ、また意匠性を高めることが要求されている。
【０００３】
この時、例えば、水栓本体の給水栓及び給湯栓と接続される一対の接続管をカウンターの前板の穴に差し込み、前板の前後から挟み込むように締め付け固定する方法では、接続管の締め付け回転量が、給水栓側と給湯栓側とで異なってしまうことが発生する。このため、接続管の給水栓側と給湯栓側とで、カウンターの前板の平面から突出している長さが異なってしまい、これらを覆う一体的なカバーが取り付けられず、それぞれの接続管を独立したカバーで覆う必要があった。
【０００４】
これに対し、例えば、特許文献１（特許第３２５５３９７号公報）には、裏面に平面部を有する水栓本体を用い、水栓本体に形成される給水栓と給湯栓をカウンターの前面の穴に差し込み、カウンターの裏側から締結部材を締め付けることで、カウンターの前板を表裏両側から挟む状態で水栓本体を取り付ける構造が開示されている。しかし、この方法では、水栓本体の裏面がカウンターに対向する面部を有する特殊な形状である必要があり、多様な仕様の水栓には適用できない。さらに、カウンターの前板には、水栓本体を支持するための強度が必要となる。
【０００５】
また、例えば、特許文献２（特開２００６−９７２６５号公報）には、カウンターを浴室壁面に固定するカウンター支持材とは別に、水栓支持材を設け、水栓本体を水栓支持材に固定する構造が開示されている。この場合は、カウンターで水栓本体の全てを支持する構造ではないので、カウンターには高い強度が必要とされない。しかし、水栓支持材は、背部がカウンター前面と当接する面部を有する形状であることが必要であり、さらに、固定のためのネジ穴も必要である。このため、この場合も、多様な水栓に適用できない。
【０００６】
このように、従来の技術では、カウンターの前面に水栓が配置される形態において、水栓本体の給水栓、給湯栓、及びそれらの間を隙間なく、カウンターまたはカバーで覆い隠しつつ、多様な水栓に適用させることはできなかった。
【先行技術文献】
【特許文献】
【０００７】
【特許文献１】特許第３２５５３９７号公報
【特許文献２】特開２００６−９７２６５号公報
【発明の概要】
【発明が解決しようとする課題】
【０００８】
本発明の態様は、水栓本体の給水栓、給湯栓、及びそれらの間を隙間なく、カウンターまたはカバーで一体的に覆い隠しつつ、多様な水栓に適用可能な水栓取付構造を提供する。
【課題を解決するための手段】
【０００９】
本発明の一態様によれば、浴室に設けられたカウンターの前面から突出して配置される水栓の取付構造であって、前記カウンター内に位置する浴室壁面に固定される固定部と、前記固定部から延在し一対の開口を有し少なくとも一部が平面状の立面部と、前記立面部の上端から前方側に突出形成され少なくとも一部が平面状の突出部と、を有する支持材と、入水部と出水部とを有し、前記入水部の側の端部は前記立面部の前記一対の開口を介して前記壁面の側に突出するように配置され、前記支持材の前記立面部の前記平面状の部分の前面及び前記突出部の前記平面状の部分の下面にそれぞれ当接して位置決めされた状態で、吊着固定治具によって前記支持材の前記突出部にそれぞれ吊り上げ固定された一対の接続管と、前記一対の接続管の前記出水部にそれぞれ接続された栓部を有する水栓本体と、を備えたことを特徴とする水栓取付構造が提供される。
【発明の効果】
【００１０】
本発明の態様によれば、水栓本体の給水栓、給湯栓、及びそれらの間を隙間なく、カウンターまたはカバーで一体的に覆い隠しつつ、多様な水栓に適用可能な水栓取付構造が提供される。
【図面の簡単な説明】
【００１１】
【図１】実施形態に係る水栓取付構造を例示する模式的側面図である。
【図２】実施形態に係る一部の要素の構成を例示する模式的斜視図である。
【図３】実施形態に係る水栓取付構造の組み立て工程を例示する工程順の模式的斜視図である。
【図４】図３に続く工程順の模式的斜視図である。
【図５】図４に続く工程順の模式的斜視図である。
【図６】図５に続く工程順の模式的斜視図である。
【図７】図６に続く工程順の模式的斜視図である。
【図８】図７に続く工程順の模式的斜視図である。
【図９】実施形態に係る水栓取付構造の変形例を例示する模式的側面図である。
【図１０】実施形態に係る水栓取付構造の別の変形例を例示する模式的側面図である。
【発明を実施するための形態】
【００１２】
第１の発明は、浴室に設けられたカウンターの前面から突出して配置される水栓の取付構造であって、前記カウンター内に位置する浴室壁面に固定される固定部と、前記固定部から延在し一対の開口を有し少なくとも一部が平面状の立面部と、前記立面部の上端から前方側に突出形成され少なくとも一部が平面状の突出部と、を有する支持材と、入水部と出水部とを有し、前記入水部の側の端部は前記立面部の前記一対の開口を介して前記壁面の側に突出するように配置され、前記支持材の前記立面部の前記平面状の部分の前面及び前記突出部の前記平面状の部分の下面にそれぞれ当接して位置決めされた状態で、吊着固定治具によって前記支持材の前記突出部にそれぞれ吊り上げ固定された一対の接続管と、前記一対の接続管の前記出水部にそれぞれ接続された栓部を有する水栓本体と、を備えたことを特徴とする水栓取付構造である。  
この水栓取付構造によれば、水栓本体の給水栓と給湯栓が接続される接続管の出水部側の開口端が同一面上に配置されるため、水栓本体の給水栓、給湯栓、及びそれらの間を隙間なく、カウンターまたは別体のカバーで一体的に覆い隠しつつ、多様な水栓に適用可能な水栓取付構造を提供することができる。また、カウンターの強度への要求を緩和することもできる。
【００１３】
また、第２の発明は、第１の発明において、前記吊着固定治具は、前記一対の接続管のそれぞれを前記突出部の側に吊り上げる力によって、前記一対の接続管のそれぞれを前記立面部の側に押しつける力を前記一対の接続管に作用させることを特徴とする水栓取付構造である。  
この水栓取付構造によれば、接続管を立面部の側に押しつける力が加わり、接続管の支持材への固定強度が向上すると供に、接続管の設置精度も向上する。
【００１４】
また、第３の発明は、第１の発明または第２の発明において、前記一対の接続管は、操作部を有する止水栓であり、前記止水栓は、前記突出部の下面と当接する部分に平面部を有しており、前記止水栓の前記平面部が前記突出部の前記下面に当接した状態において、前記止水栓が格納されるカバーに形成された貫通孔から前記操作部が露出するように、前記止水栓は前記支持材に対して位置決めされることを特徴とする水栓取付構造である。  
この水栓取付構造によれば、操作部の操作が容易となり、止水栓の操作部の位置をカバーの貫通孔に露出するように容易に位置決めすることができる。また、操作部の操作による力が接続管に加わった場合の接続管の設置角度のずれが抑制できる。
【００１５】
また、第４の発明は、第１〜第３のいずれか１つの発明において、前記支持材は、前記カウンターをさらに支持することを特徴とする水栓取付構造である。  
この水栓取付構造によれば、水栓本体とカウンターの支持を共用できるため、カウンター用の固定部材を省略できる。
【００１６】
以下、本発明の実施の形態について図面を参照しつつ説明する。なお、各図面中、同様の構成要素には同一の符号を付して詳細な説明は適宜省略する。  
図１〜図１０は、本発明の実施形態に係る水栓取付構造を例示する模式図である。  
すなわち、図１は、水栓取付構造を例示する模式的側面図であり、図２は、一部の要素の構成を例示する模式的斜視図である。図３〜図８は、水栓取付構造の組み立て工程を例示する工程順の模式的斜視図である。図９及び図１０は、変形例の水栓取付構造を例示する模式的側面図である。
【００１７】
図１に表したように、本発明の第１の実施形態に係る水栓取付構造１１０は、浴室の壁面８０のカウンター７０の前面から突出して配置される水栓取付構造である。
【００１８】
水栓取付構造１１０は、支持材１０と、一対の接続管２０と、水栓本体４０と、を備える。
【００１９】
支持材１０は、カウンター７０の内側に位置する壁面８０に固定されている。支持材１０は、立面部１１と突出部１２と一対の固定部１３とを有する。
【００２０】
固定部１３は、壁面８０に対して固定される部分である。固定部１３は、本具体例においては、壁面に対して面接触する基部１３ａと、基部１３ａから壁面８０に対して垂直方向に延出する延出部１３ｂと、を有する。壁面８０に固定された一対の固定部１３の延出部１３ｂの先端からは、立面部１１が延在している。立面部１１は、一対の開口１１ａを有し、少なくとも一部が平面状である。例えば、立面部１１における平面部１１ｆに一対の開口１１ａが設けられる。立面部１１は、例えば、壁面８０に対して平行であり、すなわち、垂直面である。
【００２１】
突出部１２は、立面部１１の上端から前方側に突出形成されており、少なくとも一部が平面状である。すなわち、突出部１２の平面部１２ｆにおいて、後述する接続管が当接する。突出部１２は、例えば、壁面８０に対して垂直に前方に突出しており、水平面である。
【００２２】
本具体例では、立面部１１と突出部１２とは互いに垂直であるが、本発明の実施形態はこれに限らず、突出部１２は立面部１１から突出していれば良く、互いの角度は任意である。
【００２３】
一方、一対の接続管２０は、この支持材１０に取り付けられて支持される。そして、水栓本体４０の栓部３０は、これら接続管２０にそれぞれ接続される。
【００２４】
一対の接続管２０は、例えば、給水用接続管（給水用止水栓）と給湯用接続管（給湯用止水栓）とである。一対の接続管２０は、入水部２１と出水部２２とをそれぞれ有している。
【００２５】
そして、それぞれの入水部２１の側の端部は、立面部１１の一対の開口１１ａを介して後方側に突出するように配置されている。
【００２６】
そして、一対の接続管２０のそれぞれは、支持材１０の立面部１１の平面状の部分（平面部１１ｆ）の前面、及び、突出部１２の平面状の部分（平面部１２ｆ）の下面に当接しており、この状態で、それぞれの接続管２０は、吊着固定治具５０によって支持材１０の突出部１２にそれぞれ吊り上げ固定されている。
【００２７】
接続管２０は支持材１０と供に、カウンター７０及びカウンターカバー７１で形成される空間内に格納される。これにより、使用状態では、使用者には接続管２０及び支持材１０が見えないようになり、意匠性を高めている。
【００２８】
そして、栓部３０は、一対の接続管２０の出水部２２にそれぞれ接続されている。
【００２９】
栓部３０の接続管２０に接続される部分３１の上方には上側カバー６１が設けられ、下方には下側カバー６２が設けられ、栓部３０の接続管２０に接続される部分３１を覆っている。
【００３０】
なお、本具体例では、栓部３０の接続管２０に接続される部分３１に、シャワー用の配管３３が設けられ、配管３３は、下側カバー６２に設けられた穴を通って下側カバー６２から外部に延在している。
【００３１】
このような構成の水栓取付構造１１０においては、接続管２０が吊着固定治具５０によって突出部１２に吊り上げられて固定されるため、接続管２０の支持材１０の立面部１１に対する取り付け強度の要求値が緩和される。
【００３２】
例えば、接続管２０が支持材１０の立面部１１に対して、立面部１１の前後から立面部１１を挟んで固定されるのみで、吊り上げられない比較例の場合には、立面部１１への固定に強い強度が要求される。このため、接続管２０のそれぞれで例えばナットによる締め付けの角度が異なってしまう。これにより、接続管２０のそれぞれでカウンター７０からの突出量が異なってしまい、カバーの取り付けの問題やカバーとカウンターとの間の隙間の問題が生じる。
【００３３】
これに対し、本実施形態に係る水栓取付構造１１０においては、接続管２０が突出部１２に吊り上げられて固定されるため、接続管２０の支持材１０の立面部１１に対する取り付け強度の要求値が緩和される。これにより、接続管２０の立面部１１への取り付けにおいてマージンを持って取り付けることができる。このため、比較例の場合のように、取り付けのためのナット回転の角度の差異に起因した位置ずれが生じない。そして、接続管２０は、支持材１０の立面部１１と突出部１２とに当接した状態で位置決めされるため、接続管２０のそれぞれにおいて、支持材１０からの前方への突出量を精度良く一致させることができる。
【００３４】
これにより、上側カバー６１と下側カバー６２とを、水栓本体４０の栓部３０と、支持材１０を覆うカウンター７０及びカウンターカバー７１と、の間に隙間なくはめ込むことができ、意匠性が高まる。
【００３５】
そして、水栓取付構造１１０においては、特許文献１のような特殊な構造の水栓を用いる必要がなく、支持材１０には、任意の構造の汎用の水栓の接続管２０を取り付けることができる。
【００３６】
そして、水栓取付構造１１０においては、後述するように、支持材１０にカウンター７０を取り付け、支持材１０を介してカウンター７０を壁面８０に取り付けることができる。すなわち、水栓用の支持材１０をカウンター７０用の支持材と兼用させることができ、特許文献２のように、カウンター支持材とは別に、水栓支持材を設ける場合に比べて部品点数が減少し、有利である。そして。特許文献２における特殊な形状の水栓支持材を用いないので、多様な水栓に適用できる。
【００３７】
すなわち、従来のいずれの技術においても、接続管は支持材やカウンターの前面のみで固定される。このため、固定強度を維持するために支持材１０からの前方への突出量が変動するか、または、各種の特殊な形状の水栓を用いることが必要であった。
【００３８】
これに対して、本実施形態に係る水栓取付構造１１０においては、接続管２０が支持材１０の立面部１１の他に、突出部１２に吊り上げられて固定されることで、水栓本体の給水栓、給湯栓、及びそれらの間を隙間なく、カウンターまたはカバーで一体的に覆い隠しつつ、多様な水栓への適用が可能となる。
【００３９】
さらに、水栓取付構造１１０においては、水栓本体４０が接続管２０と支持材１０を介して壁面８０に固定され、カウンター７０に取り付けられないので、カウンター７０には水栓本体を支持する程の強度がなくても良く、カウンター７０に用いられる材料や形状の適用範囲が拡大し、カウンター７０の意匠性を向上させることができる。
【００４０】
図２に表したように、接続管２０は、入水部２１と出水部２２とを有し、入水部２１と出水部２２との間に操作部２５を有する止水栓である。そして、入水部２１から出水部２２に到る経路は例えば管状であり、本具体例においては、その外形は円筒状の曲面である。そして、この接続管２０（止水栓）の一部に平面部２３が設けられている。この平面部２３は、例えば操作部２５とは反対の側に設けられている。
【００４１】
この平面部２３は、接続管２０を面取りすることによって形成することもでき、また、接続管２０の作製の際に用いる型の設計によって形成することもできる。
【００４２】
このような接続管２０（止水栓）が支持材１０の突出部１２から吊り上げられて固定される時に、突出部１２の下面に対して、この接続管２０（止水栓）の平面部２３が当接する。
【００４３】
そして、この状態において、操作部２５は、下方に配置される。そして、操作部２５は、例えば、接続管２０が格納されるカウンターカバー７１（カバー）に形成された貫通孔７１ａから操作部２５が露出するように、接続管２０（止水栓）は、支持材１０に対して位置決めされている。
【００４４】
これにより、カウンターカバー７１から操作部２５が外部に露出し、操作部２５の操作が容易となる。そして、接続管２０の平面部２３が突出部１２に当接して位置決めされた状態で固定されているので、操作部２５の操作による力が接続管２０に加わった場合でも、接続管２０の設置角度がずれることが実質的に発生しない。また、止水栓の操作部の位置をカバーの貫通孔に露出するように容易に位置決めすることができる。
【００４５】
なお、接続管２０の入水部２１の外周には、ネジ山２１ｒが設けられている。また、出水部２２の内側には、ネジ山２２ｒが設けられている。
【００４６】
図３に表したように、支持材１０への接続管２０の取り付けに際しては、例えば、接続管２０の入水部２１の側の端部を、支持材１０の立面部１１の前面から、立面部１１の開口１１ａに通す。そして、立面部１１の裏面に突出した、接続管２０の入水部２１の側の端部にナット２１ｎをはめ込み、その端部を立面部１１に固定する。ナット２１ｎは、入水部２１に設けられたネジ山２１ｒと噛合する。固定においては、強度が要求されないため、ナット２１ｎの締め付けは緩く行われる。
【００４７】
そして、接続管２０は、吊着固定治具５０である例えばＵ字ボルトによって、支持材１０の突出部１２から吊り上げられる。すなわち、吊着固定治具５０の下部の上面を接続管２０の下面に配置させ、この状態において、吊着固定治具５０の先端を突出部１２に設けられた穴１２ａに通し、上からナット５１によって吊着固定治具５０を突出部１２に固定する。
【００４８】
この時、この工程の最初の段階では、図４（ａ）に表したように、吊着固定治具５０とナット５１の締め付けが緩く、接続管２０と支持材１０との間には隙間がある。そして、ナット５１を締め付けていくことにより、接続管２０を吊り上げる力５２が接続管２０に加わった場合に、接続管２０を立面部１１の側に押しつける力５３が接続管２０に作用するようにすることができる。
【００４９】
すなわち、本具体例では、支持材１０の突出部１２に設けられる穴１２ａに、吊着固定治具５０の端部が挿入され、その端部をナット５１によって締め上げることによって、接続管２０を上方に吊り上げる力５２が接続管２０に作用する。この時、突出部１２の穴１２ａの位置を適切に設計することで、吊り上げる力５２によって、立面部の側に押しつける力５３を作用させることができる。
【００５０】
これにより、図４（ｂ）に表したように、接続管２０と支持材１０とが密着し、接続管２０の固定強度が向上し、また、位置精度も向上する。さらには、接続管２０を支持材１０に固定する際の作業性も向上する。
【００５１】
例えば、接続管２０の下面において吊着固定治具５０によって支持される部分の位置と、接続管２０の入水部２１側において立面部１１に当接する部分との位置と、の距離を基準にして、突出部１２の穴１２ａの位置を配置させることで、吊り上げる力５２によって、立面部の側に押しつける力５３を作用させることができる。
【００５２】
本具体例では、接続管２０から下方に突出する操作部２５が接続管２０に設けられており、操作部２５の根元の部分が、接続管２０の下面において吊着固定治具５０によって支持される部分となる。
【００５３】
なお、接続管２０の下面において吊着固定治具５０によって支持される部分は、上記に限らず、接続管２０の外周に設けられた各種の凹凸など、任意の部位を採用することができる。
【００５４】
吊着固定治具５０はＵ字ボルト以外でも良く、接続管２０の下面を支持して上方に吊り上げて固定することが可能な任意の構造を、吊着固定治具５０に用いることができる。なお、ナット５１は吊着固定治具５０の部品とみなすことができ、吊着固定治具５０はナット５１を含むことができる。
【００５５】
なお、上記では、接続管２０を吊着固定治具５０で固定する前に、支持材１０の立面部１１に対して接続管２０をナット２１ｎによって取り付ける構成について例示したが、接続管２０を吊着固定治具５０で固定した後に、支持材１０の立面部１１に対して接続管２０をナット２１ｎによって取り付けても良い。また、接続管２０の入水部２１の側の端部を、立面部１１の開口１１ａに通すだけで、ナット２１ｎによる取り付けは省略しても良い。
【００５６】
そして、図５に表したように、例えば、支持材１０に接続管２０を吊着固定治具５０によって吊り上げるように固定した後に、支持材１０を浴室の壁面８０に例えばネジ１０ｂ等によって固定する。すなわち、支持材１０の固定部１３の基部１３ａに設けられたネジ穴にネジ１０ｂを通して締めることにより、支持材１０を壁面８０に固定する。この時、カウンター７０を支持材１０にネジ７０ｂによって固定し、カウンター７０は支持材１０を介して壁面８０に固定することができ、これにより、カウンター７０の固定部材を省略できる。すなわち、支持材１０は、接続管２０を介した水栓本体４０の支持と、カウンター７０の支持との両方を兼ねている。
【００５７】
そして、図６に表したように、接続管２０の出水部２２に栓部３０を、例えばパッキン３２を介して取り付ける。なお、栓部３０の入水側の配管には、ネジ山が設けられており、このネジ山が接続管２０の出水部２２の内側のネジ山２２ｒと噛合する。
【００５８】
そして、図７に表したように、栓部３０の接続管２０に接続される部分３１の上方と、下方に、それぞれ、上側カバー６１と下側カバー６２を取り付ける。接続管２０のそれぞれにおいて、支持材１０からの前方への突出量が精度良く一致しているので、上側カバー６１と下側カバー６２とは、水栓本体４０の栓部３０と、支持材１０を覆うカウンター７０及びカウンターカバー７１と、の間に隙間なくはめ込まれる。
【００５９】
そして、図８に表したように、支持材１０の背面側に突出した、接続管２０の入水部２１の側の先端に、吸水管８１と給湯管８２とを取り付ける。
【００６０】
これにより、図１に例示した水栓取付構造１１０が浴室内に取り付けられる。  
なお、上記で説明した水栓取付構造１１０の組み立て工程は一例であり、技術的に可能な範囲で、工程順を入れ替えてもよく、また、複数の工程を同時に実施しても良く、また、一部の工程を省略しても良い。
【００６１】
また、図９に表したように、本実施形態に係る変形例の水栓取付構造１１１においては、上側カバー６１と下側カバー６２とが省略され、それぞれ、カウンター７０とカウンターカバー７１によってその機能が果たされている。すなわち、この場合には、カウンター７０及びカウンターカバー７１が、支持材１０、接続管２０を覆いつつ、さらに、栓部３０の接続管２０の側の上下を覆うように延在している。
【００６２】
なお、この場合も、接続管２０の平面部２３が突出部１２の下面に当接した状態において、接続管２０が格納されるカウンターカバー７１（カバー）に形成された貫通孔７１ａから操作部２５が露出している。
【００６３】
そして、図１０に表したように、本実施形態に係る変形例の水栓取付構造１１２においては、接続管２０に操作部２５が設けられていない。このように、操作部２５を省略することで、接続管２０の長さを短くでき、水栓取付構造１１２を小型化することができる。
【００６４】
なお、これら水栓取付構造１１１及び１１２の場合も、接続管２０の入水部２１の側の端部は立面部１１の開口１１ａを介して後方側に突出し、接続管２０は、支持材１０の立面部１１の平面状の部分の前面及び突出部１２の平面状の部分の下面に当接して位置決めされた状態で、吊着固定治具５０によって支持材１０の突出部１２に吊り上げ固定されている。
【００６５】
以上、具体例を参照しつつ、本発明の実施の形態について説明した。しかし、本発明は、これらの具体例に限定されるものではない。例えば、水栓取付構造を構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００６６】
その他、本発明の実施の形態として上述した水栓取付構造を基にして、当業者が適宜設計変更して実施し得る全ての水栓取付構造も、本発明の要旨を包含する限り、本発明の範囲に属する。
【００６７】
その他、本発明の思想の範疇において、当業者であれば、各種の変更例及び修正例に想到し得るものであり、それら変更例及び修正例についても本発明の範囲に属するものと了解される。
【符号の説明】
【００６８】
１０…支持材、  １０ｂ…ネジ、  １１…立面部、  １１ａ…開口、  １１ｆ…平面部、  １２…突出部、  １２ａ…穴、  １２ｆ…平面部、１３…固定部、  １３ａ…基部、  １３ｂ…延出部、  ２０…接続管、  ２１…入水部、  ２１ｎ…ナット、  ２１ｒ…ネジ山、  ２２…出水部、  ２２ｒ…ネジ山、  ２３…平面部、  ２５…操作部、  ３０…栓部、  ３１…部分、  ３２…パッキン、  ３３…配管、  ４０…水栓本体、  ５０…吊着固定治具、  ５１…ナット、  ５２…吊り上げる力、  ５３…押しつける力、  ６１…上側カバー、  ６２…下側カバー、  ７０…カウンター、  ７０ｂ…ネジ、  ７１…カウンターカバー、  ７１ａ…貫通孔、  ８０…壁面、  ８１…給水管、  ８２…給湯管、  １１０、１１１、１１２…水栓取付構造
【図１】
2010189887.tif 000003
【図２】
2010189887.tif 000004
【図３】
2010189887.tif 000005
【図４】
2010189887.tif 000006
【図５】
2010189887.tif 000007
【図６】
2010189887.tif 000008
【図７】
2010189887.tif 000009
【図８】
2010189887.tif 000010
【図９】
2010189887.tif 000011
【図１０】
2010189887.tif 000012